(57)【要約】【課題】座や背凭れが傾動しても、肘掛けと座との相対位置が変化することがなく、かつ肘掛けの前端部に手を掛けて着座する際に、座が下方に回動することのないようにした、使い勝手のよい椅子を提供する。【解決手段】椅子の下部構成体４に、座５を、後上向き傾斜する待機位置と、ほぼ水平をなす使用位置とに回動しうるように枢着し、かつ座５を前記待機位置に付勢する付勢手段を備える椅子において、前記座５の両側部に、肘掛け７、座５が前記待機位置にあるとき、肘掛け７前端部が座の枢着部６の中心を通る垂直線Ｖよりも前方に位置するように設ける。【選択図】  図１
2010104463.tif 000002
【特許請求の範囲】
【請求項１】
椅子の下部構成体に、座を、後上向き傾斜する待機位置と、ほぼ水平をなす使用位置とに回動しうるように枢着するとともに、前記座を待機位置に向かって付勢する付勢手段を設けた椅子において、
前記座の両側部に、肘掛けを、座が前記待機位置にあるとき、肘掛けの前端部が座の枢着部の中心を通る垂直線よりも前方に位置するように設けたことを特徴とする椅子。
【請求項２】
座が使用位置に回動したとき、肘掛けの前端部が、座の枢着部の中心を通る垂直線よりも後方に位置するようにした請求項１記載の椅子。
【請求項３】
座の前下部を下部構成体に枢着し、かつ肘掛けを、座の後両側部より起立して前方を向くように設けてなる請求項１または２記載の椅子。
【発明の詳細な説明】
【技術分野】
【０００１】
本発明は、椅子の下部構成体に、座を、後上向き傾斜する待機位置と、ほぼ水平をなす使用位置とに回動可能に設けてなる椅子に関する。
【背景技術】
【０００２】
このような椅子としては、例えば特許文献１及び２に記載されているものがある。
【特許文献１】特開平７−１２４２００号公報
【特許文献２】特開平１０−２９５７３１号公報
【発明の開示】
【発明が解決しようとする課題】
【０００３】
上記特許文献１に記載されている椅子は、肘掛けが椅子の脚体の上面に水平に固定されているので、着座者が座に着座する際に、肘掛けの前端部に手を掛けて着座することができる反面、座が後上向きに傾斜した際に、肘掛けが座に近づいてしまうため、この状態で肘掛けに手を掛けて着座しようとすると、腕を不自然な形に曲げなければならず、椅子の使い勝手が悪い。
【０００４】
特許文献２に記載の椅子においては、肘掛けの後端部が背凭れに取付けられているので、後上向きに傾斜させた座に、肘掛けの前端部に手を掛けて着座しようとすると、その荷重により、座が、着座する前に下方に回動してしまう恐れがある。
また、背凭れを前後方向に傾動させると、それと共に肘掛けも傾動して、座の上面との距離が変化してしまうので、肘を楽な姿勢で肘掛けに掛けることができないという問題もある。
【０００５】
本発明は、上記問題点に鑑みてなされたもので、座や背凭れが傾動しても、肘掛けと座との相対位置が変化することがなく、かつ肘掛けの前端部に手を掛けて着座する際に、座が下方に回動することのないようにした、使い勝手のよい椅子を提供することを目的としている。
【課題を解決するための手段】
【０００６】
本発明によると、上記課題は、次の各項のようにして解決される。
（１）椅子の下部構成体に、座を、後上向き傾斜する待機位置と、ほぼ水平をなす使用位置とに回動しうるように枢着するとともに、前記座を待機位置に向かって付勢する付勢手段を設けた椅子において、前記座の両側部に、肘掛けを、座が前記待機位置にあるとき、肘掛けの前端部が座の枢着部の中心を通る垂直線よりも前方に位置するように設ける。
【０００７】
このような構成とすると、肘掛けは、座に一体的に設けられているので、座が待機位置と使用位置とに回動しても、座に対する肘掛けの相対位置が変化することはなく、待機位置から使用位置まで、肘を自然な状態で肘掛けに掛けることができ、椅子の使い勝手が向上する。
また、座が待機位置にあるとき、肘掛けの前端部が座の枢着部の中心を通る垂直線よりも前方に位置するようにしてあるので、待機位置において肘掛けの前端部に手を掛けて着座する際に、その荷重により、座が下方に回動してしまう恐れはなく、安心して着座することができる。
【０００８】
（２）上記(１)項において、座が使用位置に回動したとき、肘掛けの前端部が、座の枢着部の中心を通る垂直線よりも後方に位置するようにする。
【０００９】
このような構成とすると、使用位置において、着座者が肘当ての前端部に手を掛けて立ち上がろうとした際、肘掛けを押す荷重は、座の枢着部の中心を通る垂直線よりも後方に加わるので、座が不意に後上向きに傾斜することはない。
【００１０】
（３）上記(１)または(２)項において、座の前下部を下部構成体に枢着し、かつ肘掛けを、座の後両側部より起立して前方を向くように設ける。
【００１１】
このような構成とすると、座を待機位置と使用位置とに回動させるだけで、肘掛けの前端部を、座の枢着部の中心を通る垂直線よりも前方と後方とに容易に位置させることができる。
【発明の効果】
【００１２】
本発明によれば、肘掛けは、座に一体的に設けられているので、座が待機位置と使用位置とに回動しても、座に対する肘掛けの相対位置が変化することはなく、待機位置から使用位置まで、肘を自然な状態で肘掛けに掛けることができ、椅子の使い勝手が向上する。
また、座が待機位置にあるとき、肘掛けの前端部が座の枢着部の中心を通る垂直線よりも前方に位置するようにしてあるので、待機位置において肘掛けの前端部に手を掛けて着座する際に、その荷重により、座が下方に回動してしまう恐れはなく、安心して着座することができる。
【発明を実施するための最良の形態】
【００１３】
以下、本発明の実施形態を、図面に基づいて説明する。
図１〜図３は、本発明の椅子の一実施形態を示す。
この椅子は、円板のベース１の中央に脚柱２を立設し、この脚柱２の上端に支基３を固着した下部構成体４を備えている。
【００１４】
脚柱２を、ガススプリング(図示略)により、高さ調節可能とすることもある。
支基３は、平面視および側面視において、脚柱２の上端より前方に向かってほぼ三角形状に拡開する形状をなしている。
【００１５】
支基３の前端部には、座５の前下部が、左右方向の基軸６をもって枢着され、座５は、図１に示すように、後上向きに傾斜する待機位置と、図２および図３に示すように、水平か、やや後下向きに傾斜する使用位置とに、基軸６を中心として回動しうるようになっている。
【００１６】
座５の両側後部において、座５には、左右１対の肘掛け７、７が、一体的に形成されている。
各肘掛け７は、座５の後部両側から起立し、かつ後面が、後記する背凭れ９の支軸１１を中心とする側面視半円弧状または扇形の湾曲面８に突出する背凭れ枢支部７ａと、この背凭れ枢支部７ａの上部より前向きに延出する上向弧状の肘当て部７ｂとからなり、全体の形状は、前上方に向かって収束する側面視ほぼ前向三角形をなしている。
【００１７】
肘当て部７ｂの前後方向の寸法は、その前端部が、図１に示す待機位置において、座５の枢着部である基軸６の中心を通る垂直線Ｖよりも前方に位置するように設定されている。
また、図２に示すように、座５が使用位置にあるときには、肘当て部７ｂの前端部が、上記垂直線Ｖよりも後方、すなわち座５が枢着されている基軸６よりも若干後方に位置するようにしてある。
【００１８】
左右の肘掛け７、７における背凭れ枢支部７ａのやや前方寄りの外側面には、背凭れ９の両側下部より前方に延出する前向側片１０の前端部が、ほぼ左右方向を向く支軸１１をもって枢着され、背凭れ９は、座５および肘掛け７に対して、図２に示す起立位置と、図３に示す後傾位置とに、支軸１１を中心として回動しうるようになっている。なお、背凭れ枢支部７ａの外側面は、前向側片１０の枢着部が最外方に位置するように外向きに膨出させてあり、前向側片１０の内面が、背凭れ枢支部７ａの外側面と広範囲に接触しないようにしてある。
【００１９】
背凭れ９の両側下部における背凭れ枢支部７ａの後面と対向する部分は、背凭れ枢支部７ａの後面の湾曲面８とほぼ補形をなす円弧状の凹曲面１２としてあり、互いの対向面が近接するようにして、背凭れ９は、支軸１１を中心として回動しうるようになっている。背凭れ９における後記する下部フレーム２０の左右方向の中央部と、支基３の前端部上面との間には、背凭れ９を起立方向に付勢するガススプリング、または圧縮ばね等からなる第１の付勢手段１３が設けられている。
【００２０】
また、支基３内には、座５を待機位置に向かって付勢することにより、着座者が起立するのを補助しうる第２の付勢手段１４が設けられている。
この第２の付勢手段１４は、例えば軸線が左右方向を向くゴムトーションユニット１５と、このゴムトーションユニット１５に連係され、図１において側面視反時計方向に付勢された後方を向く第１リンク１６と、この第１リンク１６の先端部に左右方向の軸をもって下端部が枢着され、かつ上端部が、座５の前後方向の中間部の下面に、左右方向の軸をもって枢着された斜め後上方を向く第２リンク１７とからなっている。
【００２１】
肘掛け７は、座５と一体的に形成されているので、座５が待機位置と使用位置とに回動したり、背凭れ９が傾動したりしても、座５に対する肘掛け７の相対位置が変化することはなく、待機位置から使用位置まで、肘を自然な状態で肘掛け７に掛けることができ、椅子の使い勝手が向上する。
【００２２】
また、座５が待機位置にあるとき、肘掛け７における肘当て部７ｂの前端部が、座５を枢着している基軸６の中心を通る垂直線Ｖよりも前方に位置するようにしてあるので、待機位置において、肘当て部７ｂの前端部に手を掛けて着座する際に、その荷重により、座５が下方に回動してしまう恐れはなく、安心して着座することができる。
【００２３】
さらに、座５の後両側部より起立する背凭れ枢支部７ａに、背凭れ９の両側下部より前方に延出する前向側片１０の前端部を枢着し、かつ背凭れ枢支部７ａと背凭れ９の下部との対向面を、支軸１１を中心とする円弧状または扇形の湾曲面８および円弧状の凹曲面１２としてあるので、背凭れ９を、座５および肘掛け７と干渉させることなく、大きく後傾させることができる。しかも、背凭れ９の下部は、座５と一体をなす肘掛け７の背凭れ枢支部７ａに、強固に枢着することができるので、上下寸法の大きな背凭れ９でも、安定して、円滑に回動しうるように支持することができる。
【００２４】
図４に示すように、背凭れ９は、上下方向を向く左右１対の側部フレーム１８、１８の上端同士を、左右方向を向く上部フレーム１９により連結し、かつ両側部フレーム１８、１８の下端同士を、左右方向を向く下部フレーム２０により連結し、さらに、上部フレーム１９と下部フレーム２０の左右方向の中間部同士を、両側部フレーム１８、１８より後方に位置する上下方向を向く中間フレーム２１をもって連結することにより形成した、正面形が縦長方形枠状の背フレーム２２を備えている。
【００２５】
この背フレーム２２は、適度の弾性を有する合成樹脂材料により一体的に形成されている。この合成樹脂材料には、ガラス繊維や炭素繊維等の強化繊維を加えておくのが好ましい。
【００２６】
両側部フレーム１８、１８の下部と、中間フレーム２１の下部とは、側面視において、曲率中心が前方に位置する円弧状の湾曲形状とし、上部フレーム１９と下部フレーム２０とは、平面視において、中間部が両側部より後方に位置する湾曲形状としてある。これにより、背凭れ９の下部が、座５および肘掛け７の後端より後方に離間し、背凭れ９が回動する際、座５および肘掛け７の後端と干渉するのが防止され、背凭れ９の後方への回動範囲を大とすることができる。
【００２７】
両側部フレーム１８、１８の下部と中間フレーム２１の下部との湾曲形状の曲率中心は、背凭れ９の支軸１１と一致させるのが好ましい。
【００２８】
中間フレーム２１は、背フレーム２２における他のフレーム構成部材より細く形成することにより、他部より弾性変形し易くしてあり、後述する張り材２６の前面部に負荷が掛かった際に、中間フレーム２１が前方に弾性変形しうるようにしてある。
【００２９】
両側部フレーム１８、１８に対する中間フレーム２１の後方への変位量は、下方に行くほど大としてある。
【００３０】
また、上述した左右の前向側片１０は、両側部フレーム１８、１８の下部と一体的に形成されている。
【００３１】
背フレーム２２の上端には、両側部フレーム１８、１８の上端に、上方を向き、かつ側面視において中間部が上下部より前方に位置するように湾曲する延長フレーム２３、２３を連設し、両延長フレーム２３、２３の上端同士を、左右方向を向く頂部フレーム２４により連結することにより形成したヘッドレストフレーム２５が一体的に設けられている。
【００３２】
背フレーム２２とヘッドレストフレーム２５とには、図４に示すように、下端と両側下部とが開口する伸縮性を有する袋状の張り材２６が、被嵌することにより張設されている。
【００３３】
張り材２６は、ヘッドレストフレーム２５を覆うヘッドレスト覆い部２７と、背フレーム２２を覆う背凭れ覆い部２８とからなり、それらの張り地は、互いに異ならせてある。また、ヘッドレスト覆い部２７における前面部２７ａと後面部２７ｂとの張り地、および背凭れ覆い部２８における前面部２８ａと後面部２８ｂとの張り地も、互いに異ならせてある。
【００３４】
ヘッドレスト覆い部２７と背凭れ覆い部２８との張り地は、ともにメッシュ材としてあるが、ヘッドレスト覆い部２７の少なくとも前面部２７ａの張り地は、背凭れ覆い部２８の少なくとも前面部２８ａの張り地より伸縮性に富んだメッシュ材により形成してある。
【００３５】
また、ヘッドレスト覆い部２７の少なくとも前面部２７ａの張り地は、目の粗い低密度のメッシュ材と、かつ背凭れ覆い部２８の少なくとも前面部２８ａの張り地は、目の細かい高密度のメッシュ材としてある。
れ。
【００３６】
メッシュ材の織り目または編み目の向きは、ヘッドレスト覆い部２７における前面部２７ａおよび背凭れ覆い部２８における前面部２８ａでは左右方向を向くように、またヘッドレスト覆い部２７における後面部２７ｂおよび背凭れ覆い部２８における後面部２８ｂでは上下方向を向くようにし、前面部２７ａ、２８ａでは横方向に伸縮し、後面部２７ｂ、２８ｂでは縦方向に伸縮するようにしてある。
【００３７】
また、背凭れ覆い部２８における前面部２８ａは、上述のように、目の細かい高密度のメッシュ材であって、表面が柔軟な透光性または透視性の低いメッシュ材の張り地とし、背凭れ覆い部２８における後面部２８ｂは、目の粗い低密度のメッシュ材であって、透光性または透視性の高いメッシュ材の張り地としてある。
前面部２８ａの張り地としては、伸縮性の複数の糸の間に、短繊維を挟み込んでより合わせた、モール状の繊維を用いるのが好ましい。
【００３８】
さらに、ヘッドレスト覆い部２７における前面部２７ａと後面部２７ｂ、および背凭れ覆い部２８における前面部２８ａと後面部２８ｂとは、材質だけでなく、色彩も互いに異ならせて、デザイン性を向上させてある。
【００３９】
張り材２６は、袋状に形成したものを、背フレーム２２等に被嵌して張設するだけでなく、互いに前後に分離した張り材２６の前面部２７ａ、２８ａと後面部２７ｂ、２８ｂとにより、ヘッドレストフレーム２５および背フレーム２２を前後から挟み、その前面部２７ａ、２８ａと後面部２７ｂ、２８ｂとの周縁部を互いに結着して、結果的に袋状としてもよい。
【００４０】
張り材２６の下端部は、両側下部の開口から、左右の前向側片１０、１０が前方に向けて突出し、かつ前面部２８ａと後面部２８ｂとの下端部同士を、背フレーム２２における下部フレーム２０の下方において、面ファスナ、ホック、ファスナ、その他の結合手段(いずれも図示略)により、互いに結合することにより、下部フレーム２０の下端部に取付けられている。
【００４１】
なお、ヘッドレストを必要としないときは、ヘッドレストフレーム２５および張り材２６におけるヘッドレスト覆い部２７を省略して実施すればよい。
【００４２】
上記のような構成とした背凭れ９は、上部フレーム１９と下部フレーム２０との中間部同士を、両側部フレーム１８、１８より後方に位置する上下方向を向く中間フレーム２１をもって連結し、この中間フレーム２１により、張り材２６の後面部２６ｂの中間部を後方に膨出させてあるので、着座者が背凭れ９に凭れたときに、張り材２６の前面部２８ａが後面部２８ｂに当接することがなく、張り材２６の抵抗力が途中で極端に変動することがなくなる。また、張り材２６の前面部２８ａが伸長するのに伴って、後面部２８ｂも伸長し、その後面部２８ｂの伸長した分が、前面部２８ａの後方への凹入量を増加させることになり、快適な着座感を得ることができる。
【００４３】
また、上部フレーム１９と下部フレーム２０とを、平面視において、中間部が両側部より後方に位置する湾曲形状としてあるので、中間フレーム２１を、両側部フレーム１８、１８より大きく後方に離間させることができ、もって上記の効果をより高めることができ、かつ背凭れ９の前後方向の厚さを大として、背凭れ９に高級感を与えることができる。
【００４４】
さらに、ヘッドレストフレーム２５と、それに被嵌された袋状の張り材２６のヘッドレスト覆い部２７とにより、特徴のある形状のヘッドレストを、背フレーム２２と一体的に、簡単に形成することができる。
【００４５】
張り材２６は、その前面部２７ａ、２８ａと後面部２７ｂ、２８ｂとの張り地を、上記のように互いに異ならせてあるので、それらをメッシュ材で形成した場合でも、モアレ模様の発生を防止しうるとともに、適正な撓み量を発揮させることができ、また表面に柔軟性を持たせることができ、しかも透光性または透視性を低下させることがなく、さらに、十分な通気性と弾性が得られるようにすることができる。
【００４６】
上記のように、両側部フレーム１８、１８に対する中間フレーム２１の後方への変位量を、下方に行くほど大とすると、材質、寸法等を、上下方向のどの部分においても同一とした袋状の張り材２６を、背フレーム２２に被嵌させるだけで、背凭れ９の下部における張り材２６の初期テンションを、背凭れ９の上部におけるものより大とすることができる。それによって、着座者が背凭れ９に凭れたとき、背の上部が当たる背凭れ９の上部の張り材２６はテンションが弱く、柔軟に後方に深く凹入し、背の下部から腰部および臀部が当たる背凭れ９の下部の張り材２６はテンションが強く、それらを強力に支持することができ、着座者に快適な着座感を得ることができる。
【００４７】
このように、両側部フレーム１８、１８に対する中間フレーム２１の後方への変位量を、上下方向で部分的に異ならせることにより、袋状の張り材２６の材質や形状等を、上下方向において部分的に変えることなく、背フレーム２２に装着したときの張り材２６のテンションを、上下方向で部分的に異ならせることができる。
したがって、要望に応じて、背凭れの所望の高さの部分の上記変位量を大としたり、小としたりすることにより、その部分の張り材２６のテンションを、強くしたり、弱くしたりすることができる。
【００４８】
本発明は、上記実施形態に限定されるものではない。
例えば、上記実施形態では、肘掛け７を、座５の後両側部に一体的に連設してあるが、別体とした肘掛けを適宜の固定手段により座５に取付けてもよく、また肘掛けの取付位置も、例えば座５の前後方向の中間部等とすることもできる。
【図面の簡単な説明】
【００４９】
【図１】本発明の椅子の一実施形態を示し、座が待機位置にあるときの側面図である。
【図２】同じく、座がほぼ水平をなす使用位置にあるときの側面図である。
【図３】同じく、背凭れを後傾させたときの側面図である。
【図４】背フレームと、これに被嵌される張り材とを斜め後方より見た斜視図である。
【符号の説明】
【００５０】
１  ベース
２  脚柱
３  支基
４  下部構成体
５  座
６  基軸
７  肘掛け
７ａ 背凭れ枢支部
７ｂ 肘当て部
８  湾曲面
９  背凭れ
１０  前向側片
１１  支軸
１２  凹曲面
１３  第１の付勢手段
１４  第２の付勢手段
１５  ゴムトーションユニット
１６  第１リンク
１７  第２リンク
１８  側部フレーム
１９  上部フレーム
２０  下部フレーム
２１  中間フレーム
２２  背フレーム
２３  延長フレーム
２４  頂部フレーム
２５  ヘッドレストフレーム
２６  張り材
２７  ヘッドレスト覆い部
２７ａ前面部
２７ｂ後面部
２８  背凭れ覆い部
２８ａ前面部
２８ｂ後面部
Ｖ    垂直線
【図１】
2010104463.tif 000003
【図２】
2010104463.tif 000004
【図３】
2010104463.tif 000005
【図４】
2010104463.tif 000006